(57)【要約】【課題】  コントラストを向上させることが可能なプラズマディスプレイパネルを提供する。【解決手段】  ＰＤＰ２００は、走査電極２１３と、共通電極２１２と、データ電極２２２と、を備え、ＰＤＰ２００の各単位セル２４０は表示セル２４１と補助セル２４２とを備えている。表示セル２４１では表示のための維持放電を行い、補助セル２４２は表示セル２４１と相互に連通され、予備放電及び選択放電を行う。選択放電の際に表示セル２４１では放電による発光が生じないように構成されている。よって、コントラストを向上させることができる。【選択図】    図１０
2006351269.tif 000002
【特許請求の範囲】
【請求項１】
走査電極と、共通電極と、データ電極と、を備えるプラズマディスプレイパネルにおいて、
各単位セルは、表示のための維持放電を行う表示セルと、前記表示セルと相互に連通され予備放電及び選択放電を行う補助セルと、を備え、前記選択放電の際に前記表示セルでは放電による発光が生じないように構成されていることを特徴とするプラズマディスプレイパネル。
【請求項２】
前記表示セルにおいては前記走査電極と前記共通電極との間で放電ギャップが形成され、前記補助セルにおいては前記走査電極と前記データ電極との間で放電ギャップが形成されていることを特徴とする請求項１に記載のプラズマディスプレイパネル。
【請求項３】
各単位セルにおける前記表示セルと前記補助セルとは、前記走査電極及び前記共通電極が延在する方向において並んで配置されていることを特徴とする請求項１又は２に記載のプラズマディスプレイパネル。
【請求項４】
前記表示セルにおいては前記データ電極と前記走査電極との間で放電が生じないように、前記データ電極は、前記表示セルを避けた配置とされていることを特徴とする請求項１乃至３の何れか一項に記載のプラズマディスプレイパネル。
【請求項５】
１つの単位セルと対応する前記走査電極において、前記表示セルと対応する第１部分と、前記補助セルと対応する第２部分との間には、隔壁が介在していることを特徴とする請求項１乃至４の何れか一項に記載のプラズマディスプレイパネル。
【請求項６】
前記補助セルでの放電による発光が当該プラズマディスプレイパネルの前方より視認されない構成とされていることを特徴とする請求項１乃至５の何れか一項に記載のプラズマディスプレイパネル。
【請求項７】
前記補助セルにおける前記走査電極と前記表示セルにおける前記共通電極との間で面放電ギャップが形成されていることを特徴とする請求項１乃至６の何れか一項に記載のプラズマディスプレイパネル。
【請求項８】
前記補助セルにおける前記走査電極が前記表示セル側に張り出した状態に形成されていることを特徴とする請求項７に記載のプラズマディスプレイパネル。
【請求項９】
前記補助セルにおいて、前記走査電極と前記共通電極の間で面放電ギャップが形成されていることを特徴とする請求項１乃至６の何れか一項に記載のプラズマディスプレイパネル。
【請求項１０】
前記補助セルにおける前記共通電極が前記表示セル側に張り出した状態に形成されていることを特徴とする請求項９に記載のプラズマディスプレイパネル。
【請求項１１】
前記補助セルにおける前記データ電極と前記表示セルにおける前記共通電極との間で対向放電ギャップが形成されていることを特徴とする請求項１乃至６の何れか一項に記載のプラズマディスプレイパネル。
【請求項１２】
前記補助セルにおける前記データ電極と、前記表示セルにおける前記共通電極とのうちの少なくとも何れか一方が、互いの側に向けて張り出した状態に形成されていることを特徴とする請求項１１に記載のプラズマディスプレイパネル。
【請求項１３】
前記補助セルは、当該プラズマディスプレイパネルのパネル面方向における寸法が前記表示セルよりも小さいことを特徴とする請求項１乃至１２の何れか一項に記載のプラズマディスプレイパネル。
【請求項１４】
前記補助セルは、当該プラズマディスプレイパネルのパネル面方向における寸法が前記表示セルよりも小さく、
隣設する単位セルにおける前記表示セルの一部分が前記走査電極及び前記共通電極が延在する方向において重複するように、各単位セルが配置されていることを特徴とする請求項３に記載のプラズマディスプレイパネル。
【請求項１５】
前記表示セルは前記補助セルよりも深く形成されていることを特徴とする請求項１乃至１４の何れか一項に記載のプラズマディスプレイパネル。
【請求項１６】
請求項１乃至１５の何れか一項に記載のプラズマディスプレイパネルと、このプラズマディスプレイパネルを駆動する駆動回路と、を備えることを特徴とするプラズマ表示装置。
【請求項１７】
請求項１乃至１６の何れか一項に記載のプラズマディスプレイパネルを駆動させる方法であって、前記予備放電を、前記補助セルにおいて、前記走査電極と前記データ電極の間で起こすことを特徴とするプラズマディスプレイパネルの駆動方法。
【請求項１８】
前記選択放電を、前記補助セルにおいて、前記走査電極と前記データ電極との間で起こすことを特徴とする請求項１７に記載のプラズマディスプレイパネルの駆動方法。
【請求項１９】
請求項１１又は１２に記載のプラズマディスプレイパネルを駆動させる方法であって、前記選択放電の後、初回の前記維持放電が始まる直前のタイミングで、前記補助セルにおいて前記データ電極と前記走査電極との間で放電を起こすことを特徴とするプラズマディスプレイパネルの駆動方法。
【発明の詳細な説明】
【技術分野】
【０００１】
本発明は、プラズマディスプレイパネル、その駆動方法及びプラズマ表示装置に関する。
【背景技術】
【０００２】
図１は、従来の３電極面放電型のＡＣ型プラズマ表示装置（以下、単にプラズマ表示装置とも称する）の主要部を構成するプラズマディスプレイパネル１００（以下、ＰＤＰ１００）の概略構成を示す斜視図である。
【０００３】
図１に示すように、ＰＤＰ１００は、相互に対向して配置された前面基板１０１と背面基板１０２とを備え、両基板１０１、１０２間には放電ガス空間１０３が形成されている。
【０００４】
前面基板１０１は、ガラス或いはその他の透明材料からなる第１の絶縁基板１０４と、第１の絶縁基板１０４の背面側に、行方向（水平方向）Ｈに沿ってそれぞれ延在するように形成された複数の走査電極１０５及び維持電極（共通電極）１０６と、走査電極１０５及び維持電極１０６の背面側を被覆する透明誘電体層１０８と、透明誘電体層１０８の背面側に形成され該透明誘電体層１０８を放電から保護する保護層１０９と、を備えている。
【０００５】
このうち走査電極１０５と維持電極１０６とは交互に配置され、隣り合う一対の走査電極１０５と維持電極１０６との間には面放電ギャップ１０７が形成されている。
【０００６】
走査電極１０５及び維持電極１０６は、それぞれ透明電極１０５Ａ、１０６Ａと、これら透明電極１０５Ａ、１０６Ａの一部にそれぞれ抵抗を小さくするために形成された金属材料から成るバス電極（トレース電極とも称される）１０５Ｂ、１０６Ｂと、により構成されている。
【０００７】
他方、背面基板１０２は、ガラス或いはその他の透明材料からなる第２の絶縁基板１１２と、第２の絶縁基板１１２の前面側に行方向Ｈと直交する列方向（垂直方向）Ｖに沿って延在するように形成された複数のデータ電極（アドレス電極）１１３と、データ電極１１３の前面側を被覆する白色誘電体層１１４と、放電用ガスが充填されて放電ガス空間１０３を確保するとともに、個々の単位セルを区切るために格子状に形成された隔壁１１５と、放電ガス空間１０３の内周、すなわち隔壁１１５の壁面及び隔壁１１５により囲まれた白色誘電体層１１４上に形成され放電用ガスの放電により発生する紫外線を可視光に変換する蛍光体層１１６と、を備えている。
【０００８】
図２は、ＰＤＰ１００の電極の配置の概略を示す平面図である。
【０００９】
図２に示すように、ＰＤＰ１００は、前面基板１０１を構成する第１の絶縁基板１０４の背面側に行方向Ｈに互いに平行に配置されたｎ本の走査電極１０５（Ｓ１、Ｓ２、Ｓ３…）と維持電極（共通電極）１０６（Ｃ）とから成る行電極（表示電極）群と、背面基板１０２を構成する第２の絶縁基板１１２の前面側に行電極群と直交するように列方向Ｖに沿って配置されたｎ本のデータ電極（アドレス電極）１１３（Ｄ１、Ｄ２、Ｄ３…）から成る列電極群と、を備えている。
【００１０】
そして、隣り合う一対の走査電極１０５及び維持電極１０６と、データ電極１１３と、の各交点には、それぞれ１つの単位セル１３０（以下、単にセルとも称する）が形成されている。すなわち、単位セル１３０は、行方向Ｈ及び列方向Ｖにマトリクス状に配列されたセル群を構成している。
【００１１】
モノクロ表示の場合は１つのセルにより１つの画素が構成され、カラー表示の場合は３つのセル（赤色Ｒ、緑色Ｇ及び青色Ｂ発光セル）により１つの画素が構成される。
【００１２】
図３は、図２に示した電極配置の一部の拡大した概略平面図であり、列方向Ｖに並ぶセル（ｎ−１）、セルｎ、及びセル（ｎ＋１）の３つのセルを図示している。
【００１３】
例えば、中央位置のセルｎは互いに平行な走査電極１０５（Ｓｎ）及び維持電極１０６（ｃ）と、これらの電極と直交するデータ電極１１３との３電極を有している。
【００１４】
図４はＰＤＰ１００を駆動させるための印加電圧波形を示す図、図５はＰＤＰのサブフィールド駆動を説明するための図である。
【００１５】
図５に示すように、ＰＤＰにおいて１画面を表示する期間（１／６０秒）である１フィールドＴＦは、複数のサブフィールドＴＳにより構成される。各サブフィールドＴＳは、階調表示を行うために設けられている。
【００１６】
図４に示すように、１サブフィールドＴＳは、予備放電期間Ｔ１と走査期間Ｔ２と維持期間Ｔ３とをこの順に備えて構成される。
【００１７】
ＰＤＰ１００を駆動するには、走査期間Ｔ２にて前面基板１０１の各走査電極１０５に走査パルスＰ８を順次に印加する一方で、背面基板１０２のデータ電極１１３にデータパルスＰ９を印加することにより、放電（点灯）すべきセルを選択する書込み放電を行い、続いて維持期間Ｔ３で走査電極１０５と維持電極１０６との間で上記選択したセルの面放電による維持放電を行うような制御がなされる。このような放電の有無は、前面基板１０１の表示電極１０５、１０６を覆うように形成されている透明誘電体層１０８上に壁電荷と称される電荷を形成或いは消去して、この電荷量を制御することにより決定する。
【００１８】
ここで、放電セル（点灯セル）と非放電セル（非点灯セル）との区別は、走査期間Ｔ２での書き込み放電を行う際に、電圧の異なる２種類のデータパルスを用いて行う。
【００１９】
例えば、図４の走査期間Ｔ２において、数１０ＶのデータパルスＰ９が印加されたセルは書込み放電が起きて点灯する一方で、０Ｖすなわちデータパルスが印加されないセルは書込み放電が起きずに非点灯となる。このように、この従来例で示したような、書込み放電を起こすことによって点灯させる方式を書込み選択方式という。
【００２０】
なお、あらかじめ全てのセルに書き込み放電を起こしておき、走査期間にてデータパルスを印加したセルのみに消去放電を起こすという方法もある。つまりデータパルスが印加されたセルは選択消去放電が起きて非点灯となり、データパルスが印加されないセルは選択消去放電が起きて点灯する。このような方式を消去選択方式という。
【００２１】
維持期間Ｔ３では、すべてのセルの走査電極１０５と維持電極１０６との間に交互に維持電圧パルス群１０を印加して、走査期間Ｔ２で点灯させたセルのみに維持放電を生じさせて表示を行う。維持放電後には、予備放電期間Ｔ１で次のサブフィールドにおいて書込み放電を行う準備のために、点灯したすべてのセルに対して維持消去パルスＰ５を印加して、維持放電で形成された壁電荷を消去するための予備放電を行う。また、予備放電期間Ｔ１では次の書込み放電を行い易くするために、予備放電に続いて全てのセルに対してプライミングパルスＰ６、Ｐ７を印加することによりプライミング放電を行う。
【００２２】
次に、図５を参照して階調表示について説明する。ＰＤＰでは明るさのレベルに応じて階調表示を行うために、図５に示すように、１画面を表示する期間である１フィールドＴＳを複数のサブフィールド（例えば、図５に示すように、ＴＳ１〜ＴＳ８の８つのサブフィールド）により構成する。
【００２３】
各サブフィールドＴＳ１〜ＴＳ８は、それぞれ上記の予備放電期間Ｔ１と走査期間Ｔ２と維持期間Ｔ３とから構成される。
【００２４】
ここで、各サブフィールドＴＳ１〜ＴＳ８の維持期間の長さは相互に異なるように設定されている。図５の例では、それぞれが１：２：４：８：１６：３２：６４：１２８の重みを有するように設定される。従って、この例では階調０から階調２５５までの２５６段階の階調表示が可能である。例えば、１００階調を選択するには、４、３２、６４の階調のサブフィールドを発光させれば良い。
【００２５】
ところで、図１に示すような従来の一般的なＰＤＰの構造及びその駆動方法では、ＰＤＰのコントラストが悪くなるという問題がある。
【００２６】
すなわち、図４に示されるように、ＰＤＰの駆動においては、予備放電期間Ｔ１において予備放電を発生させるが、この予備放電は、表示発光させるべきセルであるか否かにかかわらず全てのセルにおいて行うため、表示発光させるべきセルとして選択されないで（つまり書込み放電が行われないで）本来黒表示される筈のセルにおいても、予備放電により一定の発光が発生し、ＰＤＰのコントラストが低下してしまう。
【００２７】
このような問題に鑑みなされた従来の技術としては、例えば、特許文献１の技術がある。
【００２８】
図６は特許文献１に開示されたＰＤＰ１０の一部を示す平面図である。
【００２９】
図６に示すように、ＰＤＰ１０の単位セル１７は、表示セル１８と補助セル１９とにより構成されている。１つの単位セル１７を構成する表示セル１８と補助セル１９とは、列方向Ｖにおいて隣設されている。
【００３０】
各表示セル１８及び各補助セル１９は、行方向Ｈに沿って形成されている横隔壁１５Ｈと列方向Ｖに沿って形成されている縦隔壁１５Ｖとにより囲まれている。
【００３１】
このうち表示セル１８と補助セル１９とを区分している横隔壁１５Ｈには両セル１８、１９を連通させる連通用開口２０Ｂが形成されている。
【００３２】
この縦連通用開口２０Ｂは、表示セル１８と補助セル１９との間で放電ガスを循環させるために用いられる。
【００３３】
表示セル１８においては、走査電極５のＵ字状の透明電極５Ａと維持電極６のＵ字状の透明電極６Ａとが面放電ギャップ７Ａを介して対向するように配置されている。
【００３４】
他方、補助セル１９においては、走査電極５の突起状のバス電極５Ｂと維持電極６の突起状のバス電極６Ｂとが面放電ギャップ７Ｂを介して対向配置されている。
【００３５】
表示セル１８と補助セル１９のうち、補助セル１９では表示に直接関わらない放電のみを起こす。このため、補助セル１９での放電による発光がＰＤＰ１０の前面側からは視認されることがないように、補助セル１９には遮光部が形成されている。これにより、コントラストの向上を実現している。
【００３６】
次に、図６に示すＰＤＰ１０の駆動方法について説明する。
【００３７】
図２及び図３に示す従来の一般的なＰＤＰ１００の場合は、走査パルスＰ８を除いてはどの行でも同じ電圧波形を印加していたのに対し、図６に示すＰＤＰ１０の場合、奇数行と偶数行では印加する電圧波形が異なる点が、主な相違点となっている。このように、奇数行と偶数行とで印加する電圧波形を異ならせるのは、各単位セル１７内の表示セル１８と補助セル１９で相互に独立に放電を発生させる必要があるためである。
【００３８】
以下、図６に示すＰＤＰ１０の駆動方法について図７〜図９を参照して説明する。
【００３９】
図７〜図９のうち、図７は予備放電期間Ｔ１における駆動波形を、図８は走査期間Ｔ２における駆動波形を、図９は維持期間Ｔ３における駆動波形を、それぞれ示す。
【００４０】
まず、予備放電期間Ｔ１について説明する。
【００４１】
図７において、Ｓｎ＋１〜Ｓｎ＋３はそれぞれ、ｎ＋１〜ｎ＋３行目のセルに対応する走査電極５、ＣｏｄｄとＣｅｖｅｎはそれぞれ奇数行、偶数行に対応する維持電極６を示している。
【００４２】
図７に示すように、予備放電期間Ｔ１に先立ち、直前のサブフィールドＴＳにおける維持放電を消去するための消去パルスＰ５が印加される。その後、プライミングパルスＰ６が印加されるが、このとき、補助セル１９にのみ放電が起きる。すなわち、図７に示すように、例えば、奇数行の補助セル１９で予備放電が起こり、次に、偶数行の補助セル１９で予備放電が起こる。
【００４３】
このとき、補助セル１９にのみ壁電荷が形成される。この予備放電のプライミング効果により、走査期間Ｔ２における書込み放電を起こしやすくするだけでなく、補助セル１９で形成された壁電荷により、補助セル１９には内部電界が形成される。
【００４４】
上記のように、この予備放電は補助セル１９でのみ起き、表示セル１８では起きないため、補助セル１９を前述したように遮光部で隠しておくことにより予備放電は見えなくなるので、コントラストが向上する。
【００４５】
予備放電期間Ｔ１に続く走査期間Ｔ２では、図８に示すように、各走査電極に対し順次に走査パルスＰ８が印加される。その走査パルスＰ８に対応した表示セル１８で書込み放電を起こすかどうかは、データ電極５にパルスＰ９を印加するかどうかで決定する。
【００４６】
ここで、走査パルスＰ８が印加されたとき、予備放電において補助セル１９には壁電荷による内部電界が形成されているので、走査パルスＰ８と補助セル１９内の内部電界の重畳により放電開始電圧を超える。このため、データパルスＰ９が印加されている／されていないにかかわらず補助セル１９では放電が起きる。このとき、内部電界と走査パルスＰ８電圧の重畳により大きな電圧がかかっているため、補助セル１９における放電は、表示セル１８における書込み放電よりも短時間で発生する。補助セル１９で放電が起きると、発生した荷電粒子は、縦連通用開口２０Ｂを通って補助セル１９から表示セル１８まで拡散し、この荷電粒子が種火となって表示セル１８における書込み放電を引き起こす。
【００４７】
走査期間Ｔ２に続く維持期間Ｔ３では、図９に示すように、維持放電パルスＰ１０が入力され、表示セル１８における第１維持放電に先立って全ての補助セル１９において放電が起きた後、維持放電が行われる。
【００４８】
以上、要するに、特許文献１の技術では、各単位セル１７を、画像表示に供する表示セル１８と、この表示セル１８の表示発光動作を補助する補助セル１９と、により構成し、このうち補助セル１９では予備放電を行い、この予備放電で生じた壁電荷を元に、書込み放電の種火を補助セル１９から表示セル１８に供給する。また、補助セル１９での発光が外部から視認されないように、補助セル１９は遮光されている。このため、特許文献１によれば、予備放電での発光によるコントラストの低下を防止することができる。
【００４９】
また、特許文献２にも、単位セルを表示セル（特許文献２では第１放電セル）と補助セル（特許文献２では第２放電セル）とにより構成し、このうち補助セルにて予備放電を起こすとともに、この補助セルを遮光する遮光部（特許文献２では光吸収層）を設けることにより、予備放電での発光によるコントラストの低下を防止する技術が開示されている。
【特許文献１】特開２００５−１３５７３２号公報
【特許文献２】特開２００４−１２９３９号公報
【発明の開示】
【発明が解決しようとする課題】
【００５０】
しかしながら、特許文献１及び２に開示された技術では、以下の問題があった。
【００５１】
（１）電極に印加する電圧波形を奇数行と偶数行で相互に異なるものとする必要があるため、駆動回路が増加し、コストが高くなる。
【００５２】
（２）表示セルと対応する位置にもデータ電極があるため、データ電極を陰極とする放電が起きるときにイオン衝撃により表示セル内の蛍光体が劣化する。
【００５３】
本発明が解決しようとする課題には、上述したような問題が一例として挙げられる。
【課題を解決するための手段】
【００５４】
請求項１に記載の発明は、走査電極と、共通電極と、データ電極と、を備えるプラズマディスプレイパネルにおいて、各単位セルは、表示のための維持放電を行う表示セルと、前記表示セルと相互に連通され予備放電及び選択放電を行う補助セルと、を備え、前記選択放電の際に前記表示セルでは放電による発光が生じないように構成されていることを特徴としている。
【００５５】
また、請求項１６に記載のプラズマ表示装置は、請求項１乃至１５の何れか一項に記載のプラズマディスプレイパネルと、このプラズマディスプレイパネルを駆動する駆動回路と、を備えることを特徴としている。
【００５６】
また、請求項１７に記載の発明は、請求項１乃至１６の何れか一項に記載のプラズマディスプレイパネルを駆動させる方法であって、前記予備放電を、前記補助セルにおいて、前記走査電極と前記データ電極の間で起こすことを特徴としている。
【発明を実施するための最良の形態】
【００５７】
次に、実施形態を説明する。
【００５８】
本実施形態に係るプラズマディスプレイパネルは、走査電極と、共通電極と、データ電極と、を備えるプラズマディスプレイパネルにおいて、各単位セルは、表示のための維持放電を行う表示セルと、前記表示セルと相互に連通され予備放電及び選択放電を行う補助セルと、を備え、前記選択放電の際に前記表示セルでは放電による発光が生じないように構成されていることを特徴としている。
【００５９】
本実施形態によれば、予備放電を補助セルで行うとともに、選択放電の際に表示セルにて発光が生じないので、黒表示されるセルにおける黒輝度を低減し、コントラストを向上させることができる。
【００６０】
また、補助セルでは維持放電を行なわない構造とすることもでき、この場合、誘電体層を覆う保護層（例えば、ＭｇＯからなる）の劣化を低減することができる。よって、保護層の劣化に起因して書込み（選択放電）がし難くなるという問題を解消できる。
【００６１】
本実施形態に係るプラズマディスプレイパネルにおいては、前記表示セルにおいては前記走査電極と前記共通電極との間で放電ギャップが形成され、前記補助セルにおいては前記走査電極と前記データ電極との間で放電ギャップが形成されていることが好ましく、これにより、本実施形態に係るプラズマディスプレイパネルを好適に実現することができる。
【００６２】
本実施形態に係るプラズマディスプレイパネルにおいては、各単位セルにおける前記表示セルと前記補助セルとは、前記走査電極及び前記共通電極が延在する方向において並んで配置されていることが好ましく、これにより、補助セルにおける放電ギャップと表示セルにおける放電ギャップとの位置を近づけたレイアウトとすることができ、補助セルから表示セルへの荷電粒子の移動を好適に行うことが可能となる。
【００６３】
或いは、本実施形態に係るプラズマディスプレイパネルにおいては、前記表示セルにおいては前記データ電極と前記走査電極との間で放電が生じないように、前記データ電極は、前記表示セルを避けた配置とされていることも好ましく、これにより、表示セル内における走査電極とデータ電極との間では予備放電が起きないようにできるので、黒輝度を低減し、コントラストを向上することができる。また、前記表示セルにおいては前記データ電極と前記走査電極との間で放電が生じないので、データ電極を陰極とする放電が起きるときのイオン衝撃により表示セル内の蛍光体が劣化することがないようにできる結果として、プラズマディスプレイパネルの長寿命化が図れる。
【００６４】
本実施形態に係るプラズマディスプレイパネルにおいては、１つの単位セルと対応する前記走査電極において、前記表示セルと対応する第１部分と、前記補助セルと対応する第２部分との間には、隔壁が介在していることが好ましく、これにより、走査電極の第１部分（表示セル側）と第２部分（補助セル側）とで相互に独立に放電を生じさせることができ、好適に本実施形態に係るプラズマディスプレイパネルを駆動させることが可能となる。
【００６５】
本実施形態に係るプラズマディスプレイパネルにおいては、前記補助セルでの放電による発光が当該プラズマディスプレイパネルの前方より視認されない構成とされていることが好ましく、これにより、確実にコントラストを向上させることができる。
【００６６】
本実施形態に係るプラズマディスプレイパネルにおいては、前記補助セルにおける前記走査電極と前記表示セルにおける前記共通電極との間で面放電ギャップが形成されていることが好ましい一例である。
【００６７】
この場合、前記補助セルにおける前記走査電極が前記表示セル側に張り出した状態に形成されていることが好ましく、これにより補助セルから表示セルへの荷電粒子の移動を好適に行うことが可能となる。
【００６８】
或いは、本実施形態に係るプラズマディスプレイパネルにおいては、前記補助セルにおいて、前記走査電極と前記共通電極の間で面放電ギャップが形成されていることも好ましい。
【００６９】
この場合、前記補助セルにおける前記共通電極が前記表示セル側に張り出した状態に形成されていることが好ましく、これにより補助セルから表示セルへの荷電粒子の移動を好適に行うことが可能となる。
【００７０】
或いは、本実施形態に係るプラズマディスプレイパネルにおいては、前記補助セルにおける前記データ電極と前記表示セルにおける前記共通電極との間で対向放電ギャップが形成されていることも好ましい。
【００７１】
この場合、前記補助セルにおける前記データ電極と、前記表示セルにおける前記共通電極とのうちの少なくとも何れか一方が、互いの側に向けて張り出した状態に形成されていることが好ましく、これにより補助セルから表示セルへの荷電粒子の移動を好適に行うことが可能となる。
【００７２】
本実施形態に係るプラズマディスプレイパネルにおいては、前記補助セルは、当該プラズマディスプレイパネルのパネル面方向における寸法が前記表示セルよりも小さいことが好ましく、これにより、効率的なレイアウトが可能となる。
【００７３】
具体的には、各単位セルにおける前記表示セルと前記補助セルとは、前記走査電極及び前記共通電極が延在する方向において並んで配置されている場合において、当該プラズマディスプレイパネルのパネル面方向における前記補助セルの寸法を前記表示セルよりも小さく設定し、隣設する単位セルにおける前記表示セルの一部分が前記走査電極及び前記共通電極が延在する方向において重複するように、各単位セルを配置することにより、無駄なスペースを極力減らしたレイアウトとすることができる。
【００７４】
本実施形態に係るプラズマディスプレイパネルにおいては、前記表示セルは前記補助セルよりも深く形成されていることが好ましい。なぜなら、表示セルが深い方が表示に寄与する放電面積を広く確保することができる一方で、補助セルが浅い方が放電開始電圧を低減したり、書き込み（選択放電）の高速化を図ることができるからである。
【００７５】
また、本実施形態に係るプラズマ表示装置は、本実施形態に係るプラズマディスプレイパネルと、このプラズマディスプレイパネルを駆動する駆動回路と、を備えることを特徴としている。
【００７６】
また、本実施形態に係るプラズマディスプレイパネルの駆動方法は、前記予備放電を、前記補助セルにおいて、前記走査電極と前記データ電極の間で起こすことを特徴としている。
【００７７】
本実施形態に係るプラズマディスプレイパネルの駆動方法においては、前記選択放電を、前記補助セルにおいて、前記走査電極と前記データ電極との間で起こすことが好ましい。
【００７８】
また、前記補助セルにおける前記データ電極と前記表示セルにおける前記共通電極との間で対向放電ギャップが形成されている場合の本実施形態に係るプラズマディスプレイパネルの駆動方法においては、前記選択放電の後、初回の前記維持放電が始まる直前のタイミングで、前記補助セルにおいて前記データ電極と前記走査電極との間で放電を起こすことが好ましい。
【実施例１】
【００７９】
図１０は実施例１に係るプラズマディスプレイパネル２００の構造を示す模式的な平面図、図１１は図１０のＡ−Ａ切断端面図、図１２はプラズマディスプレイパネル２００が遮光された様子を示す平面図である。
【００８０】
図１１に示すように、実施例１に係るプラズマディスプレイパネル２００（以下、ＰＤＰ２００）は、相互に対向して配置された前面基板２１０と背面基板２２０とを備えている。
【００８１】
前面基板２１０は、例えばガラス或いはその他の透明材料からなる前面絶縁基板２１１と、前面絶縁基板２１１の背面側に行方向Ｈ（図１０）に延在するように配置された共通電極２１２（図１０）及び走査電極２１３と、これら共通電極２１２及び走査電極２１３を被覆する透明誘電体層２１４と、例えばＭｇＯ（酸化マグネシウム）などからなり透明誘電体層２１４を放電から保護する保護層２１５と、を備えている。
【００８２】
他方、背面基板２２０は、例えばガラス或いはその他の透明材料からなる背面絶縁基板２２１と、背面絶縁基板２２１の前面側に行方向Ｈと直交する列方向Ｖ（図１０）に延在するように配置されたデータ電極（アドレス電極）２２２と、データ電極２２２を被覆する白色誘電体層２２３と、この白色誘電体層２２３上に形成された隔壁２２４と、を備えている。
【００８３】
この隔壁２２４は、鉛含有フリットガラスなどからなり、スクリーン印刷法、サンドブラスト法或いは転写法などにより形成される。このような隔壁２２４は、横隔壁２２４Ｈと縦隔壁２２４Ｖとからなり、井桁状に形成されている。この隔壁２２４により、個々の単位セル２４０が互いに仕切られている。
【００８４】
ここで、ＰＤＰ２００の各単位セル２４０は、表示のための維持放電を行う表示セル２４１と、表示セル２４１と相互に連通され予備放電及び選択放電を行う補助セル２４２と、を備えて構成され、表示セル２４０及び補助セル２４１からなる放電空間２３０内には、放電ガスが充填されている。
【００８５】
なお、補助セル２４２の行方向Ｈにおける寸法は、例えば、表示セル２４１の行方向Ｈにおける寸法よりも小さく設定されている。つまり、表示に寄与しない補助セル２４２は、ＰＤＰ２００パネル面方向における寸法（実施例１の場合、パネル面方向である行方向Ｈ及び列方向Ｖのうち行方向Ｈにおける寸法）が表示セル２４１よりも小さく、これにより、スペースの効率化が図られている。
【００８６】
また、表示セル２４０の内周、すなわち、隔壁２２４の壁面及び表示セル２４０の底面（隔壁２２４により囲まれた白色誘電体層２２３上、或いは、隔壁２２４の底面上）には、蛍光体層２２５が形成されている。この蛍光体層２２５は、放電用ガスの放電により発生する紫外線を可視光に変換するものである。
【００８７】
各単位セル２４０における表示セル２４１と補助セル２４２とは、走査電極２１３及び共通電極２１２が延在する行方向Ｈにおいて並んで配置され、隔壁２２４（特に縦隔壁２２４Ｖ）により互いに仕切られている。
【００８８】
ただし、１つの単位セル２４０の表示セル２４１と補助セル２４２とを仕切る隔壁２２４（縦隔壁２２４Ｖ）には、これら表示セル２４１と補助セル２４２とを相互に連通させる連通部２４３が形成されている。
【００８９】
この連通部２４３は、１つの単位セル２４０の表示セル２４１と補助セル２４２との間で荷電粒子のやりとりを行うためのものである。
【００９０】
なお、連通部２４３は、ＰＤＰ２００の動作に支障がない範囲でなるべく細く形成する方が好ましく、これにより、表示セル２４０と補助セル２４１との相互間での発光の漏洩を抑制することができる。すなわち、表示セル２４０での発光が補助セル２４１側に漏洩することによる発光の損失を抑制できる一方で、補助セル２４１での発光が表示セル２４０側に漏洩することにより不要な発光が視認されてしまうことを抑制できる。
【００９１】
また、連通部２４３は、走査電極２１３と共通電極２１２のうち、１回目の維持放電が行われる方の電極（例えば、共通電極２１２）に近い位置に配置されていることが好ましく、これにより、スムーズに維持放電を開始させることが可能となる。
【００９２】
更に、隣り合う単位セル２４０の表示セル２４１と補助セル２４２とを仕切る隔壁２２４（縦隔壁２２４Ｖ）には、これら表示セル２４１と補助セル２４２とを相互に連通させる連通部２４４が形成されている。
【００９３】
この連通部２４４は、連通部２４３よりも小さい寸法に形成されており、隣り合う単位セル２４０の表示セル２４１と補助セル２４２との間では、荷電粒子のやりとりはなされないようになっている。
【００９４】
ここで、ＰＤＰの製造は、前面基板２１０と背面基板２２０とを別個に形成し、これら両基板２１０、２２０を相互に貼り合わせた後で、放電空間２３０内部を一旦排気し、放電空間２３０内に放電ガスを封入することにより行うが、連通部２４３、２４４は、このようなＰＤＰ２００の製造工程において放電空間２３０の内部を排気する際の排気性能を高める機能を有する。
【００９５】
前面基板２１０の共通電極２１２は、各表示セル２４０上に張り出した薄膜状の透明電極部２１２ａと、行方向Ｈに延在し、これら透明電極部２１２ａを相互に電気的に接続するバス電極部２１２ｂと、により構成されている。
【００９６】
同様に、前面基板２１０の走査電極２１３は、各表示セル２４０上及び各補助セル２４１上に張り出した薄膜状の透明電極部２１３ａと、行方向Ｈに延在し、これら透明電極部２１３ａを相互に電気的に接続するバス電極部２１３ｂと、により構成されている。
【００９７】
透明電極部２１２ａ、２１３ａは、例えば、ＩＴＯ（Ｉｎｄｉｕｍ  Ｔｉｎ  Ｏｘｉｄｅ）、酸化錫（ＳｎＯ2）などの透明な導電性材料からなる一方で、バス電極部２１２、ｂ２１３ｂは、例えば、Ａｇ（銀）、Ａｌ（アルミニウム）あるいはＣｒ（クロム）／Ｃｕ（銅）／Ｃｒ多層薄膜などの金属材料からなる。
【００９８】
なお、補助セル２４２上に張り出した透明電極部２１３ａに代えて、金属材料からなる薄膜状の電極部を設けても良い。
【００９９】
このような共通電極２１２と走査電極２１３は、それぞれ行方向Ｈに延在し、列方向Ｖにおいて交互に配置されている。
【０１００】
また、データ電極２２２は、例えば、Ａｇ、Ａｌ、Ｃｕなどの金属材料からなり、行方向Ｈにおいて所定間隔に配置され、それぞれ列方向Ｖに延在している。より具体的には、各データ電極２２２は、列方向Ｖに並ぶ補助セル２４１の下方を通過するように配置されている。つまり、データ電極２２２は、表示セル２４０を避けて配置されている。これにより、表示セル２４０においてはデータ電極２２２と走査電極２１３との間で放電が生じないようになっており、選択放電の際に表示セル２４１にて放電による発光が生じることが防止されている。
【０１０１】
ここで、各単位セル２４０上に張り出した共通電極２１２及び走査電極２１３のうち、表示セル２４１上の共通電極２１２を共通電極２４５、表示セル２４１上の走査電極２１３を走査電極２４６、補助セル２４２上の走査電極２１３を走査電極２４７ということとする。
【０１０２】
そして、本実施例の場合、表示セル２４１においては共通電極２４５と走査電極２４６との間に面放電ギャップＧ１が形成されている一方で、補助セル２４２においては走査電極２４７とデータ電極２２２との間に対向放電ギャップＧ２（図１１）が形成されている。
【０１０３】
更に、本実施例の場合、表示セル２４１の共通電極２４５と補助セル２４２の走査電極２４７との間にも面放電ギャップＧ３が形成されている。
【０１０４】
ここで、面放電ギャップＧ１と面放電ギャップＧ３とは、相互にほぼ等しい距離（ギャップ）に設定されている。
【０１０５】
なお、表示セル２４１の共通電極２４５と補助セル２４２の走査電極２４７との間において好適に面放電ギャップＧ３を形成できるように、走査電極２４７は、図１０に示すように、Ｌ字状に屈折し、補助セル２４２側から表示セル２４２側に向けて張り出した形状とされている。
【０１０６】
補助セル２４２の走査電極２４７と表示セル２４１の走査電極２４６との間には、隔壁２２４（特に縦隔壁２２４Ｖ）が介在している。
【０１０７】
また、ＰＤＰ２００は、後述する表示動作の際に補助セル２４２での放電により生じる発光がＰＤＰ２００の前方より視認されないように、例えば図１２に示すように、表示セル２４１を除く領域は、遮光された領域とされている。具体的には、例えば、前面基板２１０の補助セル２４２に相当する領域の前面絶縁基板２１１と透明誘電体層２１４との間に、遮光性材料からなる遮光層２６０（図１２）を形成している。この遮光層２６０は、例えば、黒色の無機顔料（例えば酸化鉄）などからなる。また、この遮光層２６０に代えて、ＰＤＰ２００の表示側に放電ガス発光の波長域を吸収するフィルタ（図示略）を配置してもよい。補助セル２４２には蛍光体層を形成しないので、補助セル２４２からの発光は放電ガス発光の波長域のみであり、その発光をフィルタでカットしてしまえば遮光層２６０を配置するのと同等の効果が得られる。この場合、遮光層２６０を形成するコストを削減することができる。
【０１０８】
次に、以上のように構成されたＰＤＰ２００の駆動方法について説明する。
【０１０９】
図１３はＰＤＰ２００の印加電圧波形を示す図、図１４乃至図２２はＰＤＰ２００の単位セル２４０における一連の放電動作を説明するための平面図である。
【０１１０】
ＰＤＰ２００の駆動方法においては、図４及び図５に示した従来の駆動方法と同様に、１フィールドＴＦをいくつかのサブフィールドＴＳに分割し、１サブフィールドＴＳを図１３に示した予備放電期間Ｔ１、走査期間Ｔ２及び維持期間Ｔ３の３つの期間から構成する。ここで、図７乃至図９で示した従来の駆動方法においては、奇数行と偶数行で印加する電圧波形を異ならせていたが、ＰＤＰ２００の駆動においては、図４及び図５に示した従来の駆動方法と同様に、走査パルスＰ８を除いてはどの行でも同じ電圧波形を印加する。
【０１１１】
図１３においては、各共通電極２１２、各走査電極２１３を配置順にそれぞれＣ１〜Ｃｍ、Ｓ１〜Ｓｍ（ｍは整数）と示し、各データ電極２２２を配置順にＤ１〜Ｄｎ（ｎは整数）と示している。
【０１１２】
図１３に示すように、予備放電期間Ｔ１においては、先ず、直前のサブフィールドＴＳにおける維持放電により生じた壁電荷を消去するための消去パルスＰ５を各走査電極Ｓ１〜Ｓｍに印加する。
【０１１３】
その後、各走査電極Ｓ１〜Ｓｍに対し、プライミングパルスＰ６と、リセット消去パルスＰ７と、をこの順に印加する。
【０１１４】
プライミングパルスＰ６及びリセット消去パルスＰ７を印加することにより、図１４に示すように、予備放電が補助セル２４２で生じる。すなわち、補助セル２４２の走査電極２４７とデータ電極２２２との間の対向放電（対向ギャップＧ２での放電）が生じる。この予備放電は補助セル２４２でのみ起き、表示セル２４１では起きない。なお、補助セル２４２は上記のように遮光されているため、予備放電による発光は視認されないので、コントラストが向上する。
【０１１５】
この予備放電のプライミング効果により、後述する走査期間Ｔ２における書込み放電（選択放電）を起こしやすくなる。
【０１１６】
その後、図１３に示すように、各走査電極Ｓ１〜Ｓｍに対して順次に走査パルスＰ８を印加する一方で、各データ電極Ｄ１〜Ｄｎのうち書き込み（選択）を行うデータ電極Ｄ１〜Ｄｎに対してアドレスパルスＰ９を印加する。
【０１１７】
走査パルスＰ８が印加された各補助セル２４２では、アドレスパルスが印加された場合、図１５に示すように、走査電極２４７とデータ電極２２２との間の対向放電が生じる。ここでの放電は、補助セル２４２のみで起き、表示セル２４１では起きない。アドレスパルスが印加されない場合はこの放電は生じない。なお、補助セル２４２は上記のように遮光されているため、予備放電による発光は視認されないので、より一層コントラストが向上する。
【０１１８】
走査パルスＰ８の印加後は、図１６に示すように、書き込みが行われた（アドレスパルスＰ９が印加された）補助セル２４２には、走査電極２４７を覆う保護層２１５上に正の壁電荷２５０が蓄積される。ただし、書き込みが行われていない（アドレスパルスＰ９が印加されていない）補助セル２４２には壁電荷は蓄積されない。
【０１１９】
その後、図１３に示すように初回の維持放電パルスＰ１０を共通電極２１２に印加することにより、蓄積された正の壁電荷２５０（図１６）の重畳電界によって、図１７に示すように、補助セル２４２における走査電極２４７と表示セル２４１における共通電極２４５との間の面放電ギャップＧ３にて、維持放電パルスＰ１０による１回目の放電（面放電）が生じる。ただし、書き込みが行われず、従って壁電荷２５０が蓄積されていない単位セル２４０においては、この放電は生じない。
【０１２０】
維持放電パルスＰ１０による１回目の放電の後は、表示セル２４１にも荷電粒子の一部が流れ込む。これにより、図１８に示すように、表示セル２４１の共通電極２４５を覆う保護層２１５上に正の壁電荷２５０が蓄積される。ただし、書き込みが行われていない単位セル２４０においては、このような電荷の蓄積は生じない。
【０１２１】
その後、図１３に示すように、２回目の維持放電パルスＰ１０を共通電極２１２及び走査電極２１３に印加することにより、図１９に示すように、表示セル２４１の共通電極２４５と走査電極２４６との間の放電ギャップＧ１、並びに、表示セル２４１の共通電極２４５と補助セル２４２の走査電極２４７との間の放電ギャップＧ３において、それぞれ維持放電が生じる。ただし、この維持放電は、書き込みが行われていない単位セル２４０においては生じない。
【０１２２】
２回目の維持放電パルスＰ１０による放電の後は、図２０に示すように、表示セル２４１の共通電極２４５を覆う保護層２１５上に負の壁電荷２５１が形成され、表示セル２４１及び補助セル２４２の走査電極２４６，２４７を覆う保護層２１５上にはそれぞれ正の壁電荷２５０が形成された状態となる。ただし、書き込みが行われていない単位セル２４０においては、このような電荷の蓄積は生じない。
【０１２３】
また、図１３に示すように３回目の維持放電パルスＰ１０を共通電極２１２及び走査電極２１３に印加することにより、図２１に示すように、２回目と同様に、表示セル２４１の共通電極２４５と走査電極２４６との間の放電ギャップＧ１、並びに、表示セル２４１の共通電極２４５と補助セル２４２の走査電極２４７との間の放電ギャップＧ３にて維持放電が生じる（この維持放電も、書き込みが行われていない単位セル２４０においては生じない）。
【０１２４】
以後、同様に、維持放電パルスＰ１０のパルス数に応じた回数の維持放電を繰り返し行って維持放電期間Ｔ３を終了する。
【０１２５】
その後、図１３に示すように予備放電期間Ｔ１の最初において維持消去パルスＰ５が各走査電極Ｓ１〜Ｓｍに印加されることにより、維持放電が起きた単位セル２４０では、図２２に示すように、形成された壁電荷２５０，２５１を消去する放電が起きる（この放電も、書き込みが行われていない単位セル２４０においては生じない）。
【０１２６】
次に、実施例１に係るプラズマ表示装置について説明する。
【０１２７】
図２３は実施例１に係るプラズマ表示装置３００を示す概略的なブロック図である。
【０１２８】
図２３に示すプラズマ表示装置３００は、アナログインタフェース３２０と、ＰＤＰモジュール３３０とを備えて概略構成されている。
【０１２９】
ＰＤＰモジュール３３０は、上記のようなＰＤＰ２００を備えている。
【０１３０】
アナログインタフェース３２０は、クロマ・デコーダを備えたＹ／Ｃ分離回路３２１と、Ａ／Ｄ変換回路３２２と、ＰＬＬ回路を備えた同期信号制御回路３２３と、画像フォーマット変換回路３２４と、逆γ（ガンマ）変換回路３２５と、システム・コントロール回路３２６と、ＰＬＥ制御回路３２７とを備えて構成されている。
【０１３１】
アナログインタフェース３２０は、概略的には、受信したアナログ映像信号をディジタル信号に変換したのち、これをＰＤＰモジュール３３０に供給する機能を有している。
【０１３２】
例えば、テレビチューナーから発信されたアナログ映像信号はＹ／Ｃ分離回路３２１において輝度信号と色差信号に分解された後、Ａ／Ｄ変換回路３２２においてＲＧＢのディジタル信号に変換される。
【０１３３】
その後、ＰＤＰモジュール３３０の画素構成と映像信号の画素構成とが相互に異なる場合には、画像フォーマット変換回路３２４において、必要な画像フォーマットの変換処理が行われる。
【０１３４】
Ａ／Ｄ変換回路３２２において、映像信号のＡ／Ｄ（アナログ／ディジタル）変換を行ったのち、逆γ変換回路３２５において、映像信号に対して逆γ変換を施して、線形特性に復元されたディジタル映像信号を生成する。このようにして生成されたディジタル映像信号は、ＲＧＢ映像信号として、ＰＤＰモジュール３３０に出力される。
【０１３５】
同期信号制御回路３２３に内蔵されているＰＬＬ（位相同期ループ）回路は、アナログ映像信号と同時に供給される水平同期信号を基準として、サンプリングクロック信号およびデータクロック信号を生成して、ＰＤＰモジュール３３０に出力する。
【０１３６】
アナログインタフェース３２０のＰＬＥ制御回路３２７は、ＰＤＰの輝度制御を行う。具体的には、平均輝度レベルが所定値以下である場合には表示輝度を上昇させ、平均輝度レベルが所定値を超える場合には、表示輝度を低下させるように制御する。
【０１３７】
システム・コントロール回路３２６は、ＰＤＰモジュール３３０に対して、各種制御信号を出力する。
【０１３８】
ＰＤＰモジュール３３０は、ディジタル信号処理・制御回路３３１と、パネル部３３２と、ＤＣ／ＤＣコンバータを内蔵するモジュール内電源回路３３３とから構成されている。ディジタル信号処理・制御回路３３１は、入力インタフェース信号処理回路３３４と、フレームメモリ３３５と、メモリ制御回路３３６と、ドライバ制御回路３３７とを含んでいる。
【０１３９】
入力インタフェース信号処理回路３３４は、システム・コントロール回路３２６から発信される各種制御信号、逆γ変換回路３２５から発信されるＲＧＢ映像信号、同期信号制御回路３２３から発信される同期信号、ＰＬＬ回路から発信されるデータクロック信号を受信する。
【０１４０】
入力インタフェース信号処理回路３３４に入力された映像信号の平均輝度レベルは、入力インタフェース信号処理回路３３４内の入力信号平均輝度レベル演算回路（図示略）によって計算されて、例えば５ビットデータとして出力される。また、ＰＬＥ制御回路３２７は、平均輝度レベルに応じてＰＬＥ制御データを設定して、入力インタフェース信号処理回路３３４内の輝度レベル制御回路（図示略）に供給する。
【０１４１】
ディジタル信号処理・制御回路３３１では、入力インタフェース信号処理回路３３４において、これらの各種信号の処理を行ったのち、制御信号をパネル部３３２に送信する。これと同時に、メモリ制御回路３３６はメモリ制御信号を、ドライバ制御回路３３７はドライバ制御信号を、それぞれパネル部３３２に送信する。
【０１４２】
パネル部３３２は、ＰＤＰ２００と、ＰＤＰ２００の走査電極を駆動する走査ドライバ３３８と、ＰＤＰ２００のデータ電極を駆動するデータドライバ３３９と、ＰＤＰ２００および走査ドライバ３３８にパルス電圧を供給する高圧パルス回路３４０と、高圧パルス回路３４０からの余剰電力を回収する電力回収回路３４１とを備えて構成されている。
【０１４３】
ＰＤＰ２００は、例えば１３６５個×７６８個に配列された画素を有するものとして構成されている。ＰＤＰ２００においては、走査ドライバ３３８が走査電極を制御し、データドライバ３３９がデータ電極（アドレス電極）を制御することによって、これらの画素のうちの所定の画素の点灯または非点灯が制御されて、所望の画像表示が行われる。
【０１４４】
以上のような実施例１によれば、ＰＤＰ２００は、走査電極２１３と、共通電極２１２と、データ電極２２２と、を備え、各単位セル２４０は、表示のための維持放電を行う表示セル２４１と、表示セル２４１と相互に連通され予備放電及び選択放電を行う補助セル２４２と、を備え、選択放電の際に表示セル２４１では放電による発光が生じないように構成されている。すなわち、予備放電を補助セル２４１で行うとともに、選択放電の際に表示セル２４１にて発光が生じないので、黒表示される単位セル２４０における黒輝度を低減し、ＰＤＰ２００のコントラストを向上させることができる。
【０１４５】
また、補助セル２４２では維持放電を行なわないので誘電体層２１４を覆う保護層２１５（例えば、ＭｇＯからなる）の劣化を低減することができる。よって、保護層２１５の劣化に起因して書込み（選択放電）がし難くなるという問題を解消できる。
【０１４６】
また、各単位セル２４０における表示セル２４１と補助セル２４２とは、走査電極２１３及び共通電極２１２が延在する方向において並んで配置されているので、補助セル２４２における放電ギャップＧ３と表示セル２４１における放電ギャップＧ１との位置を近づけたレイアウトとすることができ、補助セル２４２から表示セル２４１への荷電粒子の移動を好適に行うことが可能となる。
【０１４７】
また、表示セル２４１においてはデータ電極２２２と走査電極２４６との間で放電が生じないように、データ電極２２２は、表示セル２４１を避けた配置とされているので、表示セル２４１内における走査電極２４６とデータ電極２２２との間では予備放電が起きないようにできるので、黒輝度を低減し、コントラストを向上することができる。また、走査電極２１３及び共通電極２１２に印加する電圧波形を（選択期間Ｔ２を除いては）奇数行と偶数行で共通の波形とすることができるので、駆動回路を簡略化し、コストを低下させることができる。また、表示セル２４１においてはデータ電極２２２と走査電極２４６との間で放電が生じないので、データ電極２２２を陰極とする放電が起きるときのイオン衝撃により表示セル２４１内の蛍光体層２２５が劣化することがないようにできる結果として、ＰＤＰ２００の長寿命化が図れる。
【０１４８】
また、１つの単位セル２４０と対応する走査電極２１３において、表示セル２４１と対応する走査電極（第１部分）２４６と、補助セル２４２と対応する走査電極（第２部分）２４７との間には、隔壁２２４（特に、縦隔壁２２４Ｖ）が介在しているので、走査電極２４６（表示セル２４１側）と走査電極２４７（補助セル２４２側）とで相互に独立に放電を生じさせることができ、好適にＰＤＰ２００を駆動させることが可能となる。
【０１４９】
また、補助セル２４２における走査電極２４７と表示セル２４１における共通電極２４５との間で面放電ギャップＧ３が形成され、走査電極２４７が表示セル２４１側に張り出した状態に形成されているので、補助セル２４２から表示セル２４１への荷電粒子の移動を好適に行うことが可能となる。
【０１５０】
更に、後述する実施例２においては補助セル２４２でも維持放電が生じ、この維持放電による発光は遮光されて表示に寄与しないため無駄となるという問題があるが、上記の実施例１では、補助セル２４２では維持放電が生じないので、このような無駄を解消することができるという効果も得られる。
【実施例２】
【０１５１】
図２４は実施例２に係るＰＤＰ４００の拡大平面図である。
【０１５２】
実施例２に係るＰＤＰ４００は、以下に説明する点でのみ上記の実施例１に係るＰＤＰ２００と相違し、その他の点では上記の実施例１に係るＰＤＰ２００と同様に構成されているため、実施例２に係るＰＤＰ４００の構成要素のうち、上記の実施例１に係るＰＤＰ２００におけるのと同様の構成要素には、同一の符号を付し、その説明を省略する。
【０１５３】
図２４に示すように、実施例２に係るＰＤＰ４００は、補助セル２４２側の電極の構造が上記の実施例１に係るＰＤＰ２００と相違する点の他は、ＰＤＰ２００と同様に構成されている。
【０１５４】
図２４に示すように、実施例２に係るＰＤＰ４００の場合、前面基板２１０の共通電極２１２の透明電極部２１２ａは、各補助セル２４２上にも張り出している。なお、補助セル２４２上に張り出した透明電極部２１３ａに代えて、金属材料からなる薄膜状の電極部を設けても良い。このように共通電極２１２において補助セル２４２上に張り出した部分を、以下では共通電極２４８という。
【０１５５】
この共通電極２４８は、図２４に示すようにＬ字状に形成され、表示セル２４１側に張り出している。
【０１５６】
また、実施例２に係るＰＤＰ４００の場合、補助セル２４２上の走査電極２４７は、図２４に示すように表示セル２４１側には張り出しておらず、該走査電極２４７と共通電極２４８との間には面放電ギャップＧ４が形成されている。
【０１５７】
以上のように構成されたＰＤＰ４００を駆動するための印加電圧波形は、上記の実施例１の場合（図１３）と同様である。
【０１５８】
図２５乃至図３３はＰＤＰ４００の単位セル２４０における一連の放電動作を説明するための平面図である。
【０１５９】
以下、図１３と図２５乃至図３３を参照して、ＰＤＰ４００の動作を説明する。
【０１６０】
図１３に示すように、予備放電期間Ｔ１においては、先ず、直前のサブフィールドＴＳにおける維持放電により生じた壁電荷を消去するための消去パルスＰ５を各走査電極Ｓ１〜Ｓｍに印加する。
【０１６１】
その後、各走査電極Ｓ１〜Ｓｍに対し、プライミングパルスＰ６と、リセット消去パルスＰ７と、をこの順に印加する。
【０１６２】
プライミングパルスＰ６及びリセット消去パルスＰ７を印加することにより、図２５に示すように、予備放電が補助セル２４２で生じる。すなわち、補助セル２４２の走査電極２４７とデータ電極２２２との間の対向放電（対向ギャップＧ２での放電）が生じる。この予備放電は補助セル２４２でのみ起き、表示セル２４１では起きない。つまり、補助セル２４２は上記のように遮光されているため、予備放電による発光は視認されないので、コントラストが向上する。
【０１６３】
この予備放電のプライミング効果により、後述する走査期間Ｔ２における書込み放電を起こしやすくなる。
【０１６４】
その後、図１３に示すように、各走査電極Ｓ１〜Ｓｍに対して順次に走査パルスＰ８を印加する一方で、各データ電極Ｄ１〜Ｄｎのうち書き込みを行うデータ電極Ｄ１〜Ｄｎに対してアドレスパルスＰ９を印加する。
【０１６５】
走査パルスＰ８が印加された各補助セル２４２では、アドレスパルスが印加された場合、図２６に示すように、走査電極２４７とデータ電極２２２との間の対向放電が生じる。ここでの放電は、補助セル２４２のみで起き、表示セル２４１では起きない。アドレスパルスが印加されない場合はこの放電は生じない。なお、補助セル２４２は上記のように遮光されているため、予備放電による発光は視認されないので、より一層コントラストが向上する。
【０１６６】
走査パルスＰ８の印加後は、図２７に示すように、書き込みが行われた（アドレスパルスＰ９が印加された）補助セル２４２には、走査電極２４７を覆う保護層２１５上に正の壁電荷２５０が蓄積される。ただし、書き込みが行われていない（アドレスパルスＰ９が印加されていない）補助セル２４２には壁電荷は蓄積されない。
【０１６７】
その後、図１３に示すように初回の維持放電パルスＰ１０を共通電極２１２に印加することにより、蓄積された正の壁電荷２５０（図２７）の重畳電界によって、図２８に示すように、補助セル２４２における走査電極２４７と共通電極２４８との間の面放電ギャップＧ４にて、維持放電パルスＰ１０による１回目の放電（面放電）が生じる。ただし、書き込みが行われず、従って壁電荷２５０が蓄積されていない単位セル２４０においては、この放電は生じない。
【０１６８】
維持放電パルスＰ１０による１回目の放電の後は、表示セル２４１にも荷電粒子の一部が流れ込む。これにより、図２９に示すように、表示セル２４１の共通電極２４５を覆う保護層２１５上、並びに、補助セル２４２の共通電極２４８を覆う保護層２１５上にそれぞれ正の壁電荷２５０が蓄積される。ただし、書き込みが行われていない単位セル２４０においては、このような電荷の蓄積は生じない。
【０１６９】
その後、図１３に示すように、２回目の維持放電パルスＰ１０を共通電極２１２及び走査電極２１３に印加することにより、図３０に示すように、表示セル２４１の共通電極２４５と走査電極２４６との間の放電ギャップＧ１、並びに、補助セル２４２の共通電極２４８と走査電極２４７との間の放電ギャップＧ４において、それぞれ維持放電が生じる。ただし、この維持放電は、書き込みが行われていない単位セル２４０においては生じない。
【０１７０】
２回目の維持放電パルスＰ１０による放電の後は、図３１に示すように、表示セル２４１及び補助セル２４２の共通電極２４５、２４８を覆う保護層２１５上にはそれぞれ負の壁電荷２５１が形成され、表示セル２４１及び補助セル２４２の走査電極２４６，２４７を覆う保護層２１５上にはそれぞれ正の壁電荷２５０が形成された状態となる。ただし、書き込みが行われていない単位セル２４０においては、このような電荷の蓄積は生じない。
【０１７１】
また、図１３に示すように３回目の維持放電パルスＰ１０を共通電極２１２及び走査電極２１３に印加することにより、図３２に示すように、２回目と同様に、表示セル２４１の共通電極２４５と走査電極２４６との間の放電ギャップＧ１、並びに、補助セル２４２の共通電極２４８と走査電極２４７との間の放電ギャップＧ４にて維持放電が生じる（この維持放電も、書き込みが行われていない単位セル２４０においては生じない）。
【０１７２】
以後、同様に、維持放電パルスＰ１０のパルス数に応じた回数の維持放電を繰り返し行って維持放電期間Ｔ３を終了する。
【０１７３】
その後、図１３に示すように予備放電期間Ｔ１の最初において維持消去パルスＰ５が各走査電極Ｓ１〜Ｓｍに印加されることにより、維持放電が起きた単位セル２４０では、図３３に示すように、形成された壁電荷２５０，２５１を消去する放電が起きる（この放電も、書き込みが行われていない単位セル２４０においては生じない）。
【０１７４】
なお、実施例２に係るプラズマ表示装置は、ＰＤＰ２００に代えてＰＤＰ４００を備える点でのみ図２３に示したプラズマ表示装置３００と相違し、その他の点では、プラズマ表示装置３００と同様に構成されている。
【０１７５】
以上のような実施例２によれば、上記の実施例１と同様の効果が得られる。
【０１７６】
また、補助セル２４２において、走査電極２４７と共通電極２４８の間で面放電ギャップＧ４が形成され、共通電極２４８が表示セル２４１側に張り出した状態に形成されているので、補助セル２４２から表示セル２４１への荷電粒子の移動を好適に行うことが可能となる。
【０１７７】
ただし、実施例２では、補助セル２４２でも（放電ギャップＧ４にて）維持放電が起きるため、「補助セル２４２では維持放電が生じないので、表示に寄与しない無駄な発光を解消することができる」という上記の実施例１による効果は得られない。
【実施例３】
【０１７８】
図３４は実施例３に係るＰＤＰ５００の拡大平面図である。
【０１７９】
実施例３に係るＰＤＰ５００は、以下に説明する点でのみ上記の実施例１に係るＰＤＰ２００と相違し、その他の点では上記の実施例１に係るＰＤＰ２００と同様に構成されているため、実施例３に係るＰＤＰ５００の構成要素のうち、上記の実施例１に係るＰＤＰ２００におけるのと同様の構成要素には、同一の符号を付し、その説明を省略する。
【０１８０】
図３４に示すように、実施例３に係るＰＤＰ５００は、補助セル２４２側の電極の構造と、データ電極２２２の構造が上記の実施例１に係るＰＤＰ２００と相違する点の他は、ＰＤＰ２００と同様に構成されている。
【０１８１】
図３４に示すように、実施例３に係るＰＤＰ５００の場合、補助セル２４２上の走査電極２４７は表示セル２４１側には張り出していない。
【０１８２】
また、実施例３に係るＰＤＰ５００の場合、背面基板２２０のデータ電極２２２は、表示セル２４１側に張り出している。データ電極２２２において表示セル２４１側に張り出した部分を、以下ではデータ電極２４９という。
【０１８３】
このデータ電極２４９は、例えば、一部が共通電極２４５と重なる程度に張り出しており、これら共通電極２４５とデータ電極２４９との間には対向放電ギャップＧ５が形成されている。
【０１８４】
ただし、データ電極２４９は、走査電極２４６とは重ならないように配置されている。
【０１８５】
図３５は、以上のように構成されたＰＤＰ５００を駆動するための印加電圧波形を示す図である。図３５に示す印加電圧波形は、維持放電パルスＰ１０の直前に予備維持放電パルスＰ１０ａを追加で備える点でのみ、図１３に示す印加電圧波形と相違し、その他の点では図１３の印加電圧波形と同様である。
【０１８６】
また、図３６乃至図４６はＰＤＰ５００の単位セル２４０における一連の放電動作を説明するための平面図である。
【０１８７】
以下、図３５乃至図４６を参照して、ＰＤＰ４００の動作を説明する。
【０１８８】
図３５に示すように、予備放電期間Ｔ１においては、先ず、直前のサブフィールドＴＳにおける維持放電により生じた壁電荷を消去するための消去パルスＰ５を各走査電極Ｓ１〜Ｓｍに印加する。
【０１８９】
その後、各走査電極Ｓ１〜Ｓｍに対し、プライミングパルスＰ６と、リセット消去パルスＰ７と、をこの順に印加する。
【０１９０】
プライミングパルスＰ６及びリセット消去パルスＰ７を印加することにより、図３６に示すように、予備放電が補助セル２４２で生じる。すなわち、補助セル２４２の走査電極２４７とデータ電極２２２との間の対向放電（対向ギャップＧ２での放電）が生じる。この予備放電は補助セル２４２でのみ起き、表示セル２４１では起きない。つまり、補助セル２４２は上記のように遮光されているため、予備放電による発光は視認されないので、コントラストが向上する。
【０１９１】
この予備放電のプライミング効果により、後述する走査期間Ｔ２における書込み放電を起こしやすくなる。
【０１９２】
その後、図３５に示すように、各走査電極Ｓ１〜Ｓｍに対して順次に走査パルスＰ８を印加する一方で、各データ電極Ｄ１〜Ｄｎのうち書き込みを行うデータ電極Ｄ１〜Ｄｎに対してアドレスパルスＰ９を印加する。
【０１９３】
走査パルスＰ８が印加された各補助セル２４２では、アドレスパルスが印加された場合、図３７に示すように、走査電極２４７とデータ電極２２２との間の対向放電が生じる。ここでの放電は、補助セル２４２のみで起き、表示セル２４１では起きない。アドレスパルスが印加されない場合はこの放電は生じない。なお、補助セル２４２は上記のように遮光されているため、予備放電による発光は視認されないので、より一層コントラストが向上する。
【０１９４】
走査パルスＰ８の印加後は、図３８に示すように、書き込みが行われた（アドレスパルスＰ９が印加された）補助セル２４２には、走査電極２４７を覆う保護層２１５上には正の壁電荷２５０が蓄積される一方で、データ電極２２２を覆う白色誘電体層２２３或いは隔壁２２４上には負の壁電荷２５１が蓄積される。ただし、書き込みが行われていない（アドレスパルスＰ９が印加されていない）補助セル２４２においては、このような壁電荷の蓄積は起こらない。
【０１９５】
その後、図３５に示すように予備維持放電パルスＰ１０ａを各走査電極Ｓ１〜Ｓｍに印加することにより、書き込みが行われた（アドレスパルスＰ９が印加された）補助セル２４２において、図３９に示すように、走査電極２４７とデータ電極２２２との間の対向放電が生じる。ただし、書き込みが行われていない（アドレスパルスＰ９が印加されていない）補助セル２４２においては、ここでの放電は起こらない。
【０１９６】
予備維持放電パルスＰ１０ａの印加による放電が起きた単位セル２４０では、図４０に示すように、データ電極２２２を覆う部分の表面上に正の壁電荷２５０が形成される。すなわち、補助セル２４２において、データ電極２２２を覆う白色誘電体層２２３或いは隔壁２２４上に壁電荷２５０が形成される他、表示セル２４１側に張り出したデータ電極２４９を覆う部分の表面上（蛍光体層２２５上、並びに、白色誘電体層２２３或いは隔壁２２４上）にも壁電荷２５０が形成される。
【０１９７】
その後、初回の維持放電パルスＰ１０を共通電極２１２に印加することにより、蓄積された正の壁電荷２５０（図４０）の重畳電界によって、図４１に示すように、表示セル２４１における共通電極２４５と表示セル２４１側に張り出したデータ電極２４９との間の面放電ギャップＧ５にて、維持放電パルスＰ１０による１回目の放電（対向放電）が生じる。ただし、書き込みが行われず、従って壁電荷２５０が蓄積されていない単位セル２４０においては、この放電は生じない。
【０１９８】
維持放電パルスＰ１０による１回目の放電の後は、図４２に示すように、表示セル２４１の共通電極２４５を覆う保護層２１５上、並びに、補助セル２４２のデータ電極２２２を覆う白色誘電体層２２３或いは隔壁２２４上にそれぞれ正の壁電荷２５０が蓄積される一方で、表示セル２４１側に張り出したデータ電極２４９を覆う部分の表面上（蛍光体層２２５上、並びに、白色誘電体層２２３或いは隔壁２２４上）、並びに、補助セル２４２の走査電極２４７を覆う保護層２１５上に負の壁電荷２５１が形成された状態となる。ただし、書き込みが行われていない単位セル２４０においては、このような電荷の蓄積は生じない。
【０１９９】
その後、図３５に示すように、２回目の維持放電パルスＰ１０を共通電極２１２及び走査電極２１３に印加することにより、図４３に示すように、表示セル２４１の共通電極２４５と走査電極２４６との間の放電ギャップＧ１、並びに、補助セル２４２の走査電極２４７とデータ電極２２２との間の放電ギャップＧ２において、それぞれ放電が生じる。ただし、この放電は、書き込みが行われていない単位セル２４０においては生じない。
【０２００】
２回目の維持放電パルスＰ１０による放電の後は、図４４に示すように、表示セル２４１の共通電極２４５を覆う保護層２１５上、並びに、補助セル２４２のデータ電極２２２を覆う白色誘電体層２２３或いは隔壁２２４上にそれぞれ負の壁電荷２５１が蓄積される一方で、表示セル２４１の走査電極２４６を覆う保護層２１５上、並びに、補助セル２４２の走査電極２４７を覆う保護層２１５上にそれぞれ正の壁電荷２５０が形成された状態となる。ただし、書き込みが行われていない単位セル２４０においては、このような電荷の蓄積は生じない。
【０２０１】
また、図３５に示すように３回目以降の維持放電パルスＰ１０を共通電極２１２及び走査電極２１３に印加することにより、図４５に示すように、表示セル２４１でのみ維持放電が起きる。すなわち、表示セル２４１の共通電極２４５と走査電極２４６との間の放電ギャップＧ１でのみ維持放電が生じる（この維持放電も、書き込みが行われていない単位セル２４０においては生じない）。このため、上記の実施例１，２と比較して、補助セル２４２では無駄な放電が生じないという利点がある。
【０２０２】
維持放電パルスＰ１０のパルス数に応じた回数の維持放電を繰り返し行って維持放電期間Ｔ３を終了した後は、図３５に示すように予備放電期間Ｔ１の最初において維持消去パルスＰ５が各走査電極Ｓ１〜Ｓｍに印加されることにより、維持放電が起きた単位セル２４０では、図４６に示すように、形成された壁電荷２５０，２５１を消去する放電が表示セル２４１でのみ起きる（この放電も、書き込みが行われていない単位セル２４０においては生じない）。
【０２０３】
なお、実施例３に係るプラズマ表示装置は、ＰＤＰ２００に代えてＰＤＰ５００を備える点でのみ図２３に示したプラズマ表示装置３００と相違し、その他の点では、プラズマ表示装置３００と同様に構成されている。
【０２０４】
以上のような実施例３によれば、上記の実施例１と同様の効果が得られる。
【０２０５】
また、補助セル２４２におけるデータ電極２４９と表示セル２４１における共通電極２４５との間で対向放電ギャップＧ５が形成され、補助セル２４２におけるデータ電極２４９が表示セル２４１側に向けて張り出した状態に形成されているので、補助セル２４２から表示セル２４１への荷電粒子の移動を好適に行うことが可能となる。
【０２０６】
また、上記の実施例１では、維持放電が補助セル２４２の走査電極２４７と表示セル２４１の共通電極２４５との間でも生じており、この放電による発光の一部は遮光されて表示に寄与せず無駄となっていたのに対し、実施例３では、維持放電は完全に表示セル２４１でのみ生じることとなり、より一層無駄を低減することができる。
【０２０７】
なお、上記の実施例３では、補助セル２４２におけるデータ電極２４９が表示セル２４１側に向けて張り出した状態に形成されている例を説明したが、表示セル２４１における共通電極２４５が補助セル２４２側に張り出した状態に形成されていても良い。或いは、補助セル２４２におけるデータ電極２４９と表示セル２４１における共通電極２４５とがそれぞれ互いの側に張り出した状態に形成されていても良い。何れの場合にも、補助セル２４２から表示セル２４１への荷電粒子の移動を好適に行うことが可能である。
【実施例４】
【０２０８】
上記の実施例１乃至３では、各単位セル２４０が行方向Ｈ及び列方向Ｖにマトリックス状に配列されている例を説明したが、実施例４では、補助セル２４２の寸法を列方向Ｖにおいても表示セル２４１よりも小さく設定し、隣設された単位セル２４０における表示セル２４１の一部分ずつが行方向Ｈ（走査電極２１３及び共通電極２１２が延在する方向）において重複するように、各単位セル２４０が配置されている例について説明する。
【０２０９】
図４７は実施例４に係るＰＤＰ６００を示す平面図である。
【０２１０】
実施例４に係るＰＤＰ６００は、以下に説明する点でのみ上記の実施例１乃至３に係るＰＤＰ２００、４００、５００と相違し、その他の点では上記の実施例１乃至３に係るＰＤＰ２００、４００、５００と同様に構成されているため、実施例４に係るＰＤＰ６００の構成要素のうち、上記の実施例１乃至３に係るＰＤＰ２００、４００、５００におけるのと同様の構成要素には、同一の符号を付し、その説明を省略する。
【０２１１】
図４７に示すように、実施例４の場合、補助セル２４２の寸法が列方向Ｖにおいても表示セル２４１よりも小さく設定されている。
【０２１２】
そして、隣設された単位セル２４０における表示セル２４１の一部分ずつが行方向Ｈにおいて重複するように、各単位セル２４０が配置されている。
【０２１３】
これにより、単位セル２４０の配置密度が上記の実施例１乃至３よりも高められている。
【０２１４】
次に、実施例４の場合の具体的な単位セル２４０の構造の例について説明する。
【０２１５】
図４８乃至図５０は、それぞれ実施例４の場合の具体的な単位セル２４０の構造を示す平面図である。
【０２１６】
このうち図４８に示す単位セル２４０は、（１）補助セル２４２の寸法が列方向Ｖにおいても表示セル２４１よりも小さく設定されている点と、（２）共通電極２１２のバス電極２１２ｂが単位セル２４０の外周に沿うように屈曲した経路に設定されている点と、（３）走査電極２１３のバス電極２１３ｂが単位セル２４０の外周に沿うように屈曲した経路に設定されている点と、（４）バス電極２１３ｂの変更に合わせて走査電極２４７の寸法が小さくなっている点でのみ上記の実施例１の場合の単位セル２４０と相違する。図４８に示す単位セル２４０のその他の構造や、機能・動作は上記の実施例１の場合と同様である。
【０２１７】
また、図４９に示す単位セル２４０は、（１）補助セル２４２の寸法が列方向Ｖにおいても表示セル２４１よりも小さく設定されている点と、（２）共通電極２１２のバス電極２１２ｂが単位セル２４０の外周に沿うように屈曲した経路に設定されている点と、（３）バス電極２１２ｂの変更に合わせて共通電極２４８の寸法が小さくなっている点と、（４）走査電極２１３のバス電極２１３ｂが単位セル２４０の外周に沿うように屈曲した経路に設定されている点と、（５）バス電極２１３ｂの変更に合わせて走査電極２４７の寸法が小さくなっている点でのみ上記の実施例２の場合の単位セル２４０と相違する。図４９に示す単位セル２４０のその他の構造や、機能・動作は上記の実施例２の場合と同様である。
【０２１８】
また、図５０に示す単位セル２４０は、（１）補助セル２４２の寸法が列方向Ｖにおいても表示セル２４１よりも小さく設定されている点と、（２）共通電極２１２のバス電極２１２ｂが単位セル２４０の外周に沿うように屈曲した経路に設定されている点と、（３）走査電極２１３のバス電極２１３ｂが単位セル２４０の外周に沿うように屈曲した経路に設定されている点と、（４）バス電極２１３ｂの変更に合わせて走査電極２４７の寸法が小さくなっている点でのみ上記の実施例３の場合の単位セル２４０と相違する。図５０に示す単位セル２４０のその他の構造や、機能・動作は上記の実施例３の場合と同様である。
【０２１９】
図５１は実施例４の場合の走査電極２１３、共通電極２１２及びデータ電極２２２の配置を示す平面図である。
【０２２０】
図５１に示すように、実施例４の場合、各走査電極２１３及び各共通電極２１２は、例えば、それぞれ単位セル２４０の外周に沿うように、屈曲した配置とされている。
【０２２１】
各データ電極２２２は、例えば、上記の実施例１乃至３と同様に直線状に形成され、列方向Ｖに並ぶ補助セル２４１の下方を通過するように配置されている。
【０２２２】
ここで、実施例４の場合、１つの行に配列された単位セル２４０と、その隣の行に配列された単位セル２４０とは、図５１の上下方向において相互に反転した配置とされている。
【０２２３】
図５２は実施例４に係るＰＤＰ６００が遮光された様子を示す平面図である。
【０２２４】
図５２に示すように、実施例４の場合も、表示セル２４１を除く領域は、実施例１乃至３と同様に、例えば、遮光層２６０が形成されることなどにより遮光された領域とされている。
【０２２５】
なお、実施例４に係るプラズマ表示装置は、ＰＤＰ２００に代えてＰＤＰ６００を備える点でのみ図２３に示したプラズマ表示装置３００と相違し、その他の点では、プラズマ表示装置３００と同様に構成されている。
【０２２６】
以上のような実施例４によれば、各単位セル２４０における表示セル２４１と補助セル２４２とは、走査電極２１３及び共通電極２１２が延在する方向（行方向Ｈ）において並んで配置され、ＰＤＰ６００のパネル面方向における補助セル２４２の寸法を表示セル２４１よりも小さく設定し、隣設する単位セル２４０における表示セル２４１の一部分ずつが行方向Ｈにおいて重複するように、各単位セル２４０が配置されているので、無駄なスペースを極力減らしたレイアウトとすることができ、単位セル２４０の配置密度を高めることができる。
【０２２７】
＜実施例４の変形例＞
図５３は実施例４の変形例に係るＰＤＰ６００ａにおける電極の配置を示す平面図である。
【０２２８】
図５３に示すように、ＰＤＰ６００ａは、（１）走査電極２１３のバス電極２１３ｂが、行方向Ｈにおいて直線状に形成された本体部６０１と、この本体部６０１から列方向Ｖに伸びるように形成され、補助セル２４２上の走査電極２４７を本体部６０１に接続する接続部６０２と、からなる点と、（２）共通電極２１２のバス電極２１２ｂが直線状に形成されている点で、上記の実施例４に係るＰＤＰ６００と相違する。
【０２２９】
実施例４の変形例によれば、接続部６０２を新たに形成する必要が生じるものの、バス電極２１３ｂ（本体部６０１）及びバス電極２１２ｂを直線状に形成すればよい為、これら電極２１３ｂ、２１２ｂの形成が容易になるという利点がある。
【実施例５】
【０２３０】
図５４は実施例５に係るＰＤＰ７００の構造を示す側面切断端面図である。
【０２３１】
実施例５に係るＰＤＰ７００は、表示セル２４１が補助セル２４２よりも深く形成されている点でのみ上記の実施例１乃至４に係るＰＤＰ２００，４００、５００、６００と相違し、その他の点では上記の実施例１乃至４に係るＰＤＰ２００，４００、５００、６００と同様に構成されている。実施例５に係るＰＤＰ７００の構成要素のうち、上記の実施例１に係るＰＤＰ２００におけるのと同様の構成要素には、同一の符号を付し、その説明を省略する。
【０２３２】
図５４に示すように、ＰＤＰ７００においては、表示セル２４１が補助セル２４２よりも深く形成されている。
【０２３３】
具体的には、例えば、表示セル２４１の形成領域における白色誘電体層２２３に凹部２２３ａを形成することにより、表示セル２４１を補助セル２４２よりも深く形成することができる。或いは、補助セル２４２の形成領域の底部上（白色誘電体層２２３ａ上或いは隔壁２２４の底部上）嵩上げ層（図示略）を形成したり、補助セル２４２の形成領域の透明誘電体層２１４を厚く形成することによっても、表示セル２４１を補助セル２４２よりも深く形成することができる。或いは、隔壁２２４をサンドブラスト法により形成する場合に表示セル２４１の形成領域に形成する凹部の深さを補助セル２４２の形成領域に形成する凹部よりも深くすることによっても、表示セル２４１を補助セル２４２よりも深く形成することができる。さらには、これらの方法のうちの複数を組み合わせても良い。
【０２３４】
以上のような実施例５によれば、表示セル２４１が補助セル２４２よりも深く形成されているので、表示に寄与する放電面積を広く確保することができる。また、補助セル２４２が浅いので、放電開始電圧を低減したり、書き込み（選択放電）の高速化を図ることができる。
【０２３５】
以上の実施例１〜５では図１３に駆動波形を示す書込み選択方式の駆動方法を採用したが、もちろん選択消去方式でも駆動させることができる。選択消去方式では図１に示すような従来構造では非点灯セルで消去放電が起きるために黒輝度が上昇し、コントラストが上昇するという問題があったが、本発明では補助セルでのみ選択放電が起きるため、このような問題点を回避することができる。
【図面の簡単な説明】
【０２３６】
【図１】従来の一般的なプラズマディスプレイパネルを示す分解斜視図である。
【図２】図１のプラズマディスプレイパネルの電極の配置を示す平面図である。
【図３】図１のプラズマディスプレイパネルの電極の配置を拡大した平面図である。
【図４】図１のプラズマディスプレイパネルの駆動時に用いられる印加電圧波形を示す図である。
【図５】図１のプラズマディスプレイパネルのサブフィールド駆動を説明するための図である。
【図６】単位セルが表示セルと補助セルからなる従来のプラズマディスプレイパネルを示す平面図である。
【図７】図６のプラズマディスプレイパネルの予備放電期間における印加電圧波形を示す図である。
【図８】図６のプラズマディスプレイパネルの走査期間における印加電圧波形を示す図である。
【図９】図６のプラズマディスプレイパネルの維持期間における印加電圧波形を示す図である。
【図１０】実施例１に係るプラズマディスプレイパネルを示す平面図である。
【図１１】図１０のＡ−Ａ切断端面図である。
【図１２】図１０のプラズマディスプレイパネルが遮光された様子を示す平面図である。
【図１３】図１０のプラズマディスプレイパネルの印加電圧波形を示す図である。
【図１４】図１０のプラズマディスプレイパネルの単位セルにおける一連の放電動作を説明するための平面図である。
【図１５】図１０のプラズマディスプレイパネルの単位セルにおける一連の放電動作を説明するための平面図である。
【図１６】図１０のプラズマディスプレイパネルの単位セルにおける一連の放電動作を説明するための平面図である。
【図１７】図１０のプラズマディスプレイパネルの単位セルにおける一連の放電動作を説明するための平面図である。
【図１８】図１０のプラズマディスプレイパネルの単位セルにおける一連の放電動作を説明するための平面図である。
【図１９】図１０のプラズマディスプレイパネルの単位セルにおける一連の放電動作を説明するための平面図である。
【図２０】図１０のプラズマディスプレイパネルの単位セルにおける一連の放電動作を説明するための平面図である。
【図２１】図１０のプラズマディスプレイパネルの単位セルにおける一連の放電動作を説明するための平面図である。
【図２２】図１０のプラズマディスプレイパネルの単位セルにおける一連の放電動作を説明するための平面図である。
【図２３】実施例１に係るプラズマ表示装置を示すブロック図である。
【図２４】実施例２に係るプラズマディスプレイパネルにおける単位セルを示す平面図である。
【図２５】図２４のプラズマディスプレイパネルの単位セルにおける一連の放電動作を説明するための平面図である。
【図２６】図２４のプラズマディスプレイパネルの単位セルにおける一連の放電動作を説明するための平面図である。
【図２７】図２４のプラズマディスプレイパネルの単位セルにおける一連の放電動作を説明するための平面図である。
【図２８】図２４のプラズマディスプレイパネルの単位セルにおける一連の放電動作を説明するための平面図である。
【図２９】図２４のプラズマディスプレイパネルの単位セルにおける一連の放電動作を説明するための平面図である。
【図３０】図２４のプラズマディスプレイパネルの単位セルにおける一連の放電動作を説明するための平面図である。
【図３１】図２４のプラズマディスプレイパネルの単位セルにおける一連の放電動作を説明するための平面図である。
【図３２】図２４のプラズマディスプレイパネルの単位セルにおける一連の放電動作を説明するための平面図である。
【図３３】図２４のプラズマディスプレイパネルの単位セルにおける一連の放電動作を説明するための平面図である。
【図３４】実施例３に係るプラズマディスプレイパネルにおける単位セルを示す平面図である。
【図３５】図３４のプラズマディスプレイパネルの印加電圧波形を示す図である。
【図３６】図３４のプラズマディスプレイパネルの単位セルにおける一連の放電動作を説明するための平面図である。
【図３７】図３４のプラズマディスプレイパネルの単位セルにおける一連の放電動作を説明するための平面図である。
【図３８】図３４のプラズマディスプレイパネルの単位セルにおける一連の放電動作を説明するための平面図である。
【図３９】図３４のプラズマディスプレイパネルの単位セルにおける一連の放電動作を説明するための平面図である。
【図４０】図３４のプラズマディスプレイパネルの単位セルにおける一連の放電動作を説明するための平面図である。
【図４１】図３４のプラズマディスプレイパネルの単位セルにおける一連の放電動作を説明するための平面図である。
【図４２】図３４のプラズマディスプレイパネルの単位セルにおける一連の放電動作を説明するための平面図である。
【図４３】図３４のプラズマディスプレイパネルの単位セルにおける一連の放電動作を説明するための平面図である。
【図４４】図３４のプラズマディスプレイパネルの単位セルにおける一連の放電動作を説明するための平面図である。
【図４５】図３４のプラズマディスプレイパネルの単位セルにおける一連の放電動作を説明するための平面図である。
【図４６】図３４のプラズマディスプレイパネルの単位セルにおける一連の放電動作を説明するための平面図である。
【図４７】実施例４に係るプラズマディスプレイパネルを示す平面図である。
【図４８】図４７のプラズマディスプレイパネルにおける単位セルの第１の例を示す平面図である。
【図４９】図４７のプラズマディスプレイパネルにおける単位セルの第２の例を示す平面図である。
【図５０】図４７のプラズマディスプレイパネルにおける単位セルの第３の例を示す平面図である。
【図５１】図４７のプラズマディスプレイパネルにおける電極の配置を示す平面図である。
【図５２】図４７のプラズマディスプレイパネルが遮光された様子を示す平面図である。
【図５３】実施例４に係るプラズマディスプレイパネルの変形例を示す平面図である。
【図５４】実施例５に係るプラズマディスプレイパネルを示す側面切断端面図である。
【符号の説明】
【０２３７】
２００    プラズマディスプレイパネル
２１２    共通電極
２１３    走査電極
２４６    走査電極（第１部分）
２４７    走査電極（第２部分）
２２２    データ電極
２２４    隔壁
２４０    単位セル
２４１    表示セル
２４２    補助セル
Ｇ１      面放電ギャップ（放電ギャップ）
Ｇ２      対向放電ギャップ（放電ギャップ）
Ｇ３      面放電ギャップ
３００    プラズマ表示装置
４００    プラズマディスプレイパネル
Ｇ４      面放電ギャップ
５００    プラズマディスプレイパネル
Ｇ５      対向放電ギャップ
６００    プラズマディスプレイパネル
６００ａ  プラズマディスプレイパネル
７００    プラズマディスプレイパネル
【図１】
2006351269.tif 000003
【図２】
2006351269.tif 000004
【図３】
2006351269.tif 000005
【図４】
2006351269.tif 000006
【図５】
2006351269.tif 000007
【図６】
2006351269.tif 000008
【図７】
2006351269.tif 000009
【図８】
2006351269.tif 000010
【図９】
2006351269.tif 000011
【図１０】
2006351269.tif 000012
【図１１】
2006351269.tif 000013
【図１２】
2006351269.tif 000014
【図１３】
2006351269.tif 000015
【図１４】
2006351269.tif 000016
【図１５】
2006351269.tif 000017
【図１６】
2006351269.tif 000018
【図１７】
2006351269.tif 000019
【図１８】
2006351269.tif 000020
【図１９】
2006351269.tif 000021
【図２０】
2006351269.tif 000022
【図２１】
2006351269.tif 000023
【図２２】
2006351269.tif 000024
【図２３】
2006351269.tif 000025
【図２４】
2006351269.tif 000026
【図２５】
2006351269.tif 000027
【図２６】
2006351269.tif 000028
【図２７】
2006351269.tif 000029
【図２８】
2006351269.tif 000030
【図２９】
2006351269.tif 000031
【図３０】
2006351269.tif 000032
【図３１】
2006351269.tif 000033
【図３２】
2006351269.tif 000034
【図３３】
2006351269.tif 000035
【図３４】
2006351269.tif 000036
【図３５】
2006351269.tif 000037
【図３６】
2006351269.tif 000038
【図３７】
2006351269.tif 000039
【図３８】
2006351269.tif 000040
【図３９】
2006351269.tif 000041
【図４０】
2006351269.tif 000042
【図４１】
2006351269.tif 000043
【図４２】
2006351269.tif 000044
【図４３】
2006351269.tif 000045
【図４４】
2006351269.tif 000046
【図４５】
2006351269.tif 000047
【図４６】
2006351269.tif 000048
【図４７】
2006351269.tif 000049
【図４８】
2006351269.tif 000050
【図４９】
2006351269.tif 000051
【図５０】
2006351269.tif 000052
【図５１】
2006351269.tif 000053
【図５２】
2006351269.tif 000054
【図５３】
2006351269.tif 000055
【図５４】
2006351269.tif 000056